【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
入力画像を、サブブロック単位で量子化制御する画像符号化装置であって、
前記サブブロックの量子化パラメータを取得する第１取得手段と、
前記サブブロックを少なくとも２つ以上包含する基本ブロックにおいて、当該基本ブロック内で符号化順序が最初のブロックである第１のサブブロックの量子化パラメータを用いて、前記第１取得手段によって取得された、前記基本ブロックに含まれる他のサブブロックの量子化パラメータを予測符号化する符号化手段と、
を備えることを特徴とする画像符号化装置。
【請求項２】
さらに、前記第１のサブブロックの量子化パラメータと、前記他のサブブロックの量子化パラメータとの差分値を取得する第２取得手段を有し、
前記符号化手段は、前記第２取得手段によって取得された前記差分値を符号化することを特徴とする請求項１に記載の画像符号化装置。
【請求項３】
入力画像をサブブロック単位で量子化制御する画像符号化装置であって、
前記サブブロックを少なくとも２つ以上包含する基本ブロックにおいて、当該基本ブロック内で符号化順序が最初のサブブロックである第１のサブブロックの量子化パラメータと、当該基本ブロックに包含される他のサブブロックの量子化パラメータとを取得する第１取得手段と、
前記他のサブブロックの量子化パラメータを予測符号化するために用いる所定のパラメータを、前記第１のサブブロックの量子化パラメータに設定する設定手段と、
前記設定手段によって設定された前記所定パラメータと、前記他のサブブロックの量子化パラメータとの差分値を取得する第２取得手段と、
前記第２取得手段によって取得された前記差分値を符号化する符号化手段と、
を備えることを特徴とする画像符号化装置。
【請求項４】
前記所定のパラメータは、前記第１のサブブロックの量子化パラメータ又は、前記基本ブロック内の少なくとも２つ以上のサブブロックの量子化パラメータを平均したパラメータであることを特徴とする請求項３に記載の画像符号化装置。
【請求項５】
前記他のサブブロックは、前記基本ブロックに包含される複数のサブブロックのうち、前記第１のサブブロックの右に隣接する第２のサブブロックと前記第１のサブブロックの下に隣接する第３のブロックのうち、少なくともいずれかであることを特徴とする請求項１乃至請求項４のいずれか一項に記載の画像符号化装置。
【請求項６】
前記他のサブブロックは、前記基本ブロックに包含されるサブブロックであって、前記第１のサブブロックの右に隣接するサブブロックであることを特徴とする請求項１乃至請求項４のいずれか一項に記載の画像符号化装置。
【請求項７】
前記基本ブロックに、前記第１のサブブロックと、前記第１のサブブロックの右に隣接する第２のサブブロックと、前記第１の下に隣接する第３のサブブロックと、前記第２のサブブロックの下に隣接する第４のサブブロックが含まれる場合に、
前記符号化手段は、前記第４のサブブロックの量子化パラメータと前記第１のサブブロックの量子化パラメータとの差分値を符号化することを特徴とする請求項１乃至請求項６に記載の画像符号化装置。
【請求項８】
前記第１のサブブロックは、前記基本ブロック内のサブブロックのうち左上端に位置するサブブロックであることを特徴とする請求項１乃至請求項７に記載の画像符号化装置。
【請求項９】
入力画像をサブブロック単位で量子化制御された符号データを復号する画像復号装置であって、
前記サブブロックを少なくとも２つ以上包含する基本ブロックにおいて、当該基本ブロック内で復号順序が最初のブロックである第１のサブブロックの量子化パラメータと、前記基本ブロックに含まれる他のサブブロックの量子化パラメータとの差分値に関する符号データを復号する復号手段と、
前記第１のサブブロックの量子化パラメータと、前記復号手段によって取得された前記差分値とを用いて、前記他のサブブロックの量子化パラメータを取得する取得手段と
を備えることを特徴とする画像復号装置。
【請求項１０】
さらに、前記第１のサブブロックの量子化パラメータと、前記復号手段によって取得された前記差分値とを加算して前記他のサブブロックの量子化パラメータを算出する算出手段を有し、
前記取得手段は、前記算出手段によって算出された前記他のサブブロックの量子化パラメータを取得することを特徴とする請求項９に記載の画像復号装置。
【請求項１１】
入力画像をサブブロック単位で量子化制御された符号データを復号する画像復号装置であって、
前記サブブロックの量子化パラメータと所定のパラメータとの差分値に関する符号データを復号する復号手段と、
前記サブブロックを少なくとも２つ以上包含する基本ブロックにおいて、当該基本ブロック内で復号順序が最初のブロックである第１のサブブロックの量子化パラメータを前記所定のパラメータとして設定する設定手段と、
前記設定手段によって設定された前記所定パラメータと、前記復号手段によって取得された前記差分値とを加算して、前記基本ブロックに含まれる他のサブブロックの量子化パラメータを取得する取得手段と
を備えることを特徴とする画像復号装置。
【請求項１２】
前記所定のパラメータは、前記第１のサブブロックの量子化パラメータ又は、前記基本ブロック内の少なくとも２つ以上のサブブロックの量子化パラメータを平均したパラメータであることを特徴とする請求項１１に記載の画像復号装置。
【請求項１３】
前記他のサブブロックは、前記基本ブロックに包含される複数のサブブロックのうち、前記第１のサブブロックの右に隣接する第２のサブブロックと前記第１のサブブロックの下に隣接する第３のブロックのうち、少なくともいずれかであることを特徴とする請求項９乃至請求項１２のいずれか一項に記載の画像復号装置。
【請求項１４】
前記他のサブブロックは、前記基本ブロックに包含されるサブブロックであって、前記第１のサブブロックの右に隣接するサブブロックであることを特徴とする請求項９乃至請求項１３のいずれか一項に記載の画像復号装置。
【請求項１５】
前記基本ブロックに、前記第１のサブブロックと、前記第１のサブブロックの右に隣接する第２のサブブロックと、前記第１の下に隣接する第３のサブブロックと、前記第２のサブブロックの下に隣接する第４のサブブロックが含まれる場合に、
前記取得手段は、前記第１のサブブロックの量子化パラメータと、前記復号手段によって取得された前記差分値とを用いて、前記第４のサブブロックの量子化パラメータを取得することを特徴とする請求項９乃至請求項１４に記載の画像復号装置。
【請求項１６】
前記第１のサブブロックは、前記基本ブロック内のサブブロックのうち左上端に位置するサブブロックであることを特徴とする請求項９乃至請求項１５に記載の画像復号装置。
【請求項１７】
入力画像を、サブブロック単位で量子化制御する画像符号化方法であって、
前記サブブロックの量子化パラメータを取得する第１取得工程と、
前記サブブロックを少なくとも２つ以上包含する基本ブロックにおいて、当該基本ブロック内で符号化順序が最初のブロックである第１のサブブロックの量子化パラメータを用いて、前記第１取得手段によって取得された、前記基本ブロックに含まれる他のサブブロックの量子化パラメータを予測符号化する符号化工程と、
を備えることを特徴とする画像符号化方法。
【請求項１８】
入力画像をサブブロック単位で量子化制御された符号データを復号する画像復号方法であって、
前記サブブロックを少なくとも２つ以上包含する基本ブロックにおいて、当該基本ブロック内で復号順序が最初のブロックである第１のサブブロックの量子化パラメータと、前記基本ブロックに含まれる他のサブブロックの量子化パラメータとの差分値に関する符号データを復号する復号工程と、
前記第１のサブブロックの量子化パラメータと、前記復号工程によって取得された前記差分値とを用いて、前記他のサブブロックの量子化パラメータを取得する取得工程と
を備えることを特徴とする画像復号工程。
【請求項１９】
コンピュータが読み出して実行することにより、前記コンピュータを、請求項１乃至請求項８に記載の画像符号化装置として機能させることを特徴とするプログラム。
【請求項２０】
コンピュータが読み出して実行することにより、前記コンピュータを、請求項９乃至請求項１６に記載の画像復号装置として機能させることを特徴とするプログラム。
【手続補正２】
【補正対象書類名】明細書
【補正対象項目名】００１０
【補正方法】変更
【補正の内容】
【００１０】
上述課題を解決するため、本発明の画像符号化装置は以下の構成を備える。即ち、入力画像を、サブブロック単位で量子化制御する画像符号化装置であって、前記サブブロックの量子化パラメータを取得する第１取得手段と、前記サブブロックを少なくとも２つ以上包含する基本ブロックにおいて、当該基本ブロック内で符号化順序が最初のブロックである第１のサブブロックの量子化パラメータを用いて、前記第１取得手段によって取得された、前記基本ブロックに含まれる他のサブブロックの量子化パラメータを予測符号化する符号化手段と、備えることを特徴とする。
また、本発明の画像符号化装置は以下の構成を備える。即ち、入力画像をサブブロック単位で量子化制御された符号データを復号する画像復号装置であって、前記サブブロックを少なくとも２つ以上包含する基本ブロックにおいて、当該基本ブロック内で復号順序が最初のブロックである第１のサブブロックの量子化パラメータと、前記基本ブロックに含まれる他のサブブロックの量子化パラメータとの差分値に関する符号データを復号する復号手段と、前記第１のサブブロックの量子化パラメータと、前記復号手段によって取得された前記差分値とを用いて、前記他のサブブロックの量子化パラメータを取得する取得手段とを備えることを特徴とする。